【手続補正書】
【提出日】平成24年4月2日(2012.4.2)
【手続補正１】
【補正対象書類名】特許請求の範囲
【補正対象項目名】全文
【補正方法】変更
【補正の内容】
【特許請求の範囲】
【請求項１】
交流ネットワークでトライアックを有する調光器をトリガするための調光器トリガ回路は、
前記調光器トリガ回路の入力電圧の絶対値が閾値未満かどうかを検知するための電圧レベル検出器と、
前記電圧レベル検出器によって検知された電圧が前記閾値未満であるまたは非活性化される場合、電流を提供するためのバイポーラ電流源回路と、
を具備し、
前記調光器トリガ回路は、動作中、１００ｍＷ未満の平均電力を消費し、
前記トライアックがトリガされるまで、前記調光器トリガ回路によって提供された前記電流は、負荷電圧を事実上ゼロに維持する。
【請求項２】
前記調光器トリガ回路は、動作中、１０−５０ｍＷの平均電力を消費する、請求項１による調光器トリガ回路。
【請求項３】
前記バイポーラ電流源回路は、前記電圧レベル検出器によって検知された前記入力電圧が前記閾値未満である場合、電流を導くための前記電圧レベル検出器によって制御可能なトランジスタを具備する、請求項１または請求項２による調光器トリガ回路。
【請求項４】
前記トランジスタは、ベース、エミッタ、およびコレクタを有し、
前記ベースは、前記電圧レベル検出器によって検知された前記入力電圧が前記閾値未満である場合に、前記トランジスタが前記エミッタと前記コレクタによって前記電流を導いてもよいように、前記電圧レベル検出器によって制御可能である、請求項３による調光器トリガ回路。
【請求項５】
前記バイポーラ電流源回路は、前記トランジスタを通って導かれた前記電流の制限のために配置されたフィードバック回路をさらに具備する、請求項３または請求項４による調光器トリガ回路。
【請求項６】
前記フィードバック回路は、さらなるトランジスタ、第１の抵抗器、および第２の抵抗器を具備し、
前記さらなるトランジスタの前記コレクタは、前記トランジスタの前記ベースに接続され、
前記さらなるトランジスタのベースは、前記第１の抵抗器によって前記トランジスタの前記エミッタに接続され、
前記第２の抵抗器は、前記トランジスタの前記エミッタにレファレンス電位の方へ調整できるようにする、請求項５による調光器トリガ回路。
【請求項７】
前記電圧レベル検出器は、
検出器と、
前記入力電圧を前記検出器による検出に適した電圧に変換するための分圧回路と、
を具備する、前の請求項のいずれか１項による調光器トリガ回路。
【請求項８】
前記検出器は、付加トランジスタを具備し、
前記付加トランジスタの前記ベースは、前記分圧回路につながれている、請求項７による調光器トリガ回路。
【請求項９】
前記電圧レベル検出器は、前記調光器トリガ回路の入力電圧の絶対値が前記閾値未満かどうかを検知するためのマイクロプロセッサを具備する、請求項１−６のいずれか１項による調光器トリガ回路。
【請求項１０】
前記電圧レベル検出器は、前記調光器トリガ回路の前記入力電圧の絶対値が前記閾値未満かどうかを検知するためのコンパレータまたは演算増幅器を具備する、請求項１−６のいずれか１項による調光器トリガ回路。
【請求項１１】
非活性化の前記バイポーラ電流源回路は、わずかな電流を提供する、前の請求項のいずれか１項による調光器トリガ回路。
【請求項１２】
前記わずかな電流は、前記バイポーラ電流源回路が提供することができる最大電流未満の２オーダーである、請求項１１による調光器トリガ回路。
【請求項１３】
調光システムは、
トライアックを有する調光器であって、交流電源のターミナルへの接続用の第１のターミナルと、薄暗くするために調光可能な電気的アプリケーションのターミナルへの接続用の第２のターミナルと、を具備する調光器と、
請求項１−１２のいずれか１項による調光器トリガ回路と、前記調光器トリガ回路は、前記第２のターミナルに接続された第３のターミナルと、交流電源のさらなるターミナルおよび前記調光可能な電気的アプリケーションへの接続用の第４のターミナルと、をさらに具備する、
を具備する。
【請求項１４】
調光可能デバイスは、
請求項１−１２のいずれか１項による調光器トリガ回路と、
調光可能な電気的アプリケーションと、
を具備し、
前記調光器トリガ回路および前記調光可能な電気的アプリケーションは、並列につながれ、前記調光可能デバイスは、調光器に直列に接続可能である。
【請求項１５】
前記調光可能な電気的アプリケーションは、発光ダイオードを具備する、請求項１４による調光可能デバイス。
【請求項１６】
調光器トリガ回路を用いて交流回路のトライアックを有する調光器をトリガするための方法であって、前記方法は、
前記調光器トリガ回路の入力電圧の絶対値が閾値未満かどうかを検知することと、
前記検知された電圧が前記閾値未満または電流を供給しない場合に、バイポーラ電流源回路を用いて電流を提供することと、
前記バイポーラ電流源回路から前記調光器に電流を供給することと、
を具備し、
前記トライアックがトリガされるまで、前記バイポーラ電流源回路によって提供された前記電流は、負荷電圧を事実上ゼロに維持する。
【請求項１７】
前記方法は、前記検知の前に、前記交流回路の交流電圧の整流により、前記入力電圧を生成することをさらに具備する、請求項１６による方法。
【請求項１８】
前記方法は、前記バイポーラ電流源回路によって供給される前記電流を制限することをさらに具備する、請求項１６または請求項１７による方法。
【請求項１９】
前記方法は、前記検知の前に、前記入力電圧を検出に適した電圧に変換することをさらに具備する、請求項１６−１８のいずれか１項による方法。
【請求項２０】
前記トライアックは、所定の保持電流を有し、
前記バイポーラ電流源回路は、活性化される時、前記トライアックの前記保持電流よりも低い電流を提供する、請求項１３による調光システム。
【請求項２１】
前記調光器トリガ回路は、入力端子間に容量素子を含まない、請求項１−１２のいずれか１項による調光器トリガ回路。
【請求項２２】
前記バイポーラ電流源回路が非活性化される時、前記調光器トリガ回路は、開回路のような動作をする、請求項１−１２のいずれか１項による調光器トリガ回路。
【請求項２３】
前記電流源は、非活性化される時、１００マイクロアンプ未満提供する、請求項１−１２のいずれか１項による調光器トリガ回路。
【手続補正２】
【補正対象書類名】明細書
【補正対象項目名】００６３
【補正方法】変更
【補正の内容】
【００６３】
同様に、その発明は、さらに、入力電圧が所定値未満である場合に、交流回路に予め定めた電流を供給する方法に関してもよい。その後、方法は、交流回路の入力電圧の絶対値が閾値未満かどうかを検知し、検知された電圧が閾値未満で、他の方法で電流を提供していない場合に、電流源回路を用いて電流を提供し、電流源回路から交流回路に電流を供給することを具備する。
以下に、本願出願時の特許請求の範囲に記載された発明を付記する。
［１］交流ネットワークで調光器をトリガするための調光器トリガ回路は、
前記調光器トリガ回路の入力電圧の絶対値が閾値未満かどうかを検知するための電圧レベル検出器と、
前記電圧レベル検出器によって検知された電圧が前記閾値未満であるまたは非活性化される場合、電流を提供するためのバイポーラ電流源回路と、
を具備し、
前記調光器トリガ回路は、動作中、１００ｍＷ未満の平均電力を消費する。
［２］前記調光器トリガ回路は、動作中、１０−５０ｍＷの平均電力を消費する、前記［１］による調光器トリガ回路。
［３］前記バイポーラ電流源回路は、前記電圧レベル検出器によって検知された前記電圧が前記閾値未満である場合、コレクタ電流を導くための前記電圧レベル検出器によって制御可能なトランジスタを具備する、前記［１］または［２］による調光器トリガ回路。
［４］前記トランジスタは、ベース、エミッタ、およびコレクタを有し、
前記ベースは、前記電圧レベル検出器によって検知された前記電圧が前記閾値未満である場合に、前記トランジスタが前記エミッタと前記コレクタによって前記電流を導いてもよいように、前記電圧レベル検出器によって制御可能である、前記［３］による調光器トリガ回路。
［５］前記バイポーラ電流源回路は、前記トランジスタを通って導かれた前記コレクタ電流の制限のために配置されたフィードバック回路をさらに具備する、前記［３］または［４］による調光器トリガ回路。
［６］前記フィードバック回路は、さらなるトランジスタ、第１の抵抗器、および第２の抵抗器を具備し、
前記さらなるトランジスタの前記コレクタは、前記トランジスタの前記ベースに接続され、
前記さらなるトランジスタのベースは、前記第１の抵抗器によって前記トランジスタの前記エミッタに接続され、
前記第２の抵抗器は、前記トランジスタの前記エミッタにレファレンス電位の方へ調整できるようにする、前記［５］による調光器トリガ回路。
［７］前記電圧レベル検出器は、
検出器と、
前記入力電圧を前記検出器による検出に適した電圧に変換するための分圧回路と、
を具備する、前記［１］−［６］のいずれか１つによる調光器トリガ回路。
［８］前記検出器は、付加トランジスタを具備し、
前記付加トランジスタの前記ベースは、前記分圧回路につながれている、前記［７］による調光器トリガ回路。
［９］前記電圧レベル検出器は、前記調光器トリガ回路の入力電圧の絶対値が前記閾値未満かどうかを検知するためのマイクロプロセッサを具備する、前記［１］−［６］のいずれか１つによる調光器トリガ回路。
［１０］前記電圧レベル検出器は、前記調光器トリガ回路の入力電圧の絶対値が前記閾値未満かどうかを検知するためのコンパレータまたは演算増幅器を具備する、前記［１］−［６］のいずれか１つによる調光器トリガ回路。
［１１］前記バイポーラ電流源回路は、整流器を具備する、前記［１］−［１０］のいずれか１つによる調光器トリガ回路。
［１２］前記整流器は、前記入力電圧を生成するため、前記交流回路の交流電圧を整流する、前記［１１］による調光器トリガ回路。
［１３］前記閾値は、３〜５０Ｖの間の値である、前記［１］−［１２］のいずれか１つによる調光器トリガ回路。
［１４］前記閾値は、３〜２５Ｖの間の値である、前記［１］−［１２］のいずれか１つによる調光器トリガ回路。
［１５］非活性化の前記バイポーラ電流源回路は、わずかな電流を提供する、前記［１］−［１４］のいずれか１つによる調光器トリガ回路。
［１６］前記わずかな電流は、前記バイポーラ電流源回路が提供することができる最大電流未満の２オーダーである、前記［１５］による調光器トリガ回路。
［１７］前記バイポーラ電流源回路の名目電流は、１０から２０ｍＡまでの範囲にある、前記［１６］による調光器トリガ回路。
［１８］調光システムは、
交流電源のターミナルへの接続用の第１のターミナルと、薄暗くするために調光可能な電気的アプリケーションのターミナルへの接続用の第２のターミナルと、を具備する調光器と、
前記［１］による調光器トリガ回路と、前記調光器トリガ回路は、前記第２のターミナルに接続された第３のターミナルと、交流電源のさらなるターミナルおよび前記調光可能な電気的アプリケーションへの接続用の第４のターミナルと、をさらに具備する、
を具備する。
［１９］調光可能デバイスは、
前記［１］−［１７］のいずれか１つによる調光器トリガ回路と、
調光可能な電気的アプリケーションと、
を具備し、
前記調光器トリガ回路および前記調光可能な電気的アプリケーションは、並列につながれ、前記調光可能デバイスは、調光器に直列に接続可能である。
［２０］前記調光可能な電気的アプリケーションは、発光ダイオードを具備する、前記［１９］による調光可能デバイス。
［２１］調光器トリガ回路を用いて交流回路の調光器をトリガするための方法であって、前記方法は、
前記調光器トリガ回路の入力電圧の絶対値が閾値未満かどうかを検知することと、
前記検知された電圧が前記閾値未満または電流を供給しない場合に、バイポーラ電流源回路を用いて電流を提供することと、
前記バイポーラ電流源回路から前記調光器に電流を供給することと、
を具備する。
［２２］前記方法は、前記検知の前に、前記交流回路の交流電圧の整流により、前記入力電圧を生成することをさらに具備する、前記［２１］による方法。
［２３］前記方法は、前記バイポーラ電流源回路によって供給される前記電流を制限することをさらに具備する、前記［２１］または［２２］による方法。
［２４］前記方法は、前記検知の前に、前記入力電圧を検出に適した電圧に変換することをさらに具備する、前記［２１］−［２３］のいずれか１つによる方法。